(57)【要約】【課題】待機状態中の磁気テープ装置の消費電力を大幅に削減することを可能とした磁気テープ装置、磁気テープ装置用給電制御方法、及そのプログラムを提供すること。【解決手段】上位装置１０からの記録／再生にかかる動作指令を受信することなく一定時間経過して予め設定された待機状態開始時間に至った場合に待機状態開始指令を発信する待機待ちタイマ部６９と、この発信された待機状態開始指令に基づいて機能し前記磁気テープ装置が通常使用している通常動作回路６０に対する給電を全て停止制御する通電停止制御機能６７Ｂａを備えた待機状態制御部６７とを有する。そして、この待機状態制御部６７が、前記通電停止制御機能６７Ｂａによる前記停止制御の実行後に前記上位装置１０から送信されて来る状態確認用のコマンドに対して前記通常動作回路６０に代わって代理応答するコマンド代理応答処理部６７Ａを備えたこと。【選択図】図２
2013246845.tif 000002
【特許請求の範囲】
【請求項１】
磁気テープを内蔵したテープカートリッジ４を格納するスロットと、上位装置からの指令により前記磁気テープへの記録／再生を行うテープドライブと、前記テープカートリッジを前記スロットと前記テープドライブの間で搬送するカートリッジ搬送機構と、これら各構成部材の動作を外部指令に基づいて制御する主コントローラとを備えたテープ装置本体を有する磁気テープ装置であって、
前記テープ装置本体が、
前記上位装置からの記録／再生にかかる動作指令を受信することなく一定時間経過して予め設定された待機状態開始時間に至った場合に待機状態開始指令を発信する待機待ちタイマ部と、前記待機待ちタイマ回路部から発信される待機状態開始指令に基づいて機能し前記磁気テープ装置が通常使用している通常動作回路に対する給電を全て停止制御する通電停止制御機能を備えた待機状態制御部とを有し、
この待機状態制御部が、
前記通電停止制御機能による前記停止制御の実行後に前記上位装置から送信されて来る状態確認用のコマンドに対して前記通常動作回路に代わって代理応答するコマンド代理応答処理部を備えていることを特徴とした磁気テープ装置。
【請求項２】
請求項１に記載の磁気テープ装置において、
前記テープ装置本体が、前記上位装置から送信されて来る動作指令としてのコマンドを監視すると共に前記カートリッジ搬送機構に対するカートリッジ搬送指令のコマンド有無を検出するコマンド監視制御部を備えると共に、
このコマンド監視制御部が、前記上位装置から記録／再生にかかる指令が送信されて来た場合にこれを前記待機待ちタイマ部へ伝送する機能を備えていることを特徴とした磁気テープ装置。
【請求項３】
請求項２に記載の磁気テープ装置において、
前記待機待ちタイマ部は、コマンド監視制御部を介して送られて来る上位装置からの記録／再生にかかる動作指令（搬送コマンド）の未検出時間を計測する未検出時間計測機能と、この未検出時間の時間間隔が待機状態開始時間として予め設定された時間間隔を経過した場合に前記待機状態開始指令の発信を実行する待機状態設定指令発信機能とを備えていることを特徴とした磁気テープ装置。
【請求項４】
請求項１に記載の磁気テープ装置において、
前記テープ装置本体は、当該磁気テープ装置全体が待機状態か又は通電状態かを設定しその状態情報を保持する待機状態設定部を備えると共に、
前記待機状態制御部は、この待機状態設定部からの待機状態を示す状態情報に基づいて前記通電停止制御機能の実行を継続する構成としたことを特徴とする磁気テープ装置。
【請求項５】
請求項１に記載の磁気テープ装置において、
前記主コントローラが、前記テープ装置本体が備えている各構成部材の動作状態を監視する動作状態監視部と、この動作状態監視部で監視し把握した前記各構成部材の前記待機状態開始時の動作状態にかかる情報を記憶する動作状態記憶部とを含む構成としたことを特徴とする磁気テープ装置。
【請求項６】
請求項１乃至５の何れか一つに記載の磁気テープ装置において、
前記待機状態制御部が、前記上位装置から搬送指示コマンドが入力された場合に機能し前記通常動作回路の全体を通電状態に設定制御する通電状態設定制御機能を備えていることを特徴とした磁気テープ装置。
【請求項７】
請求項６に記載の磁気テープ装置において、
前記待機状態制御部による通電状態設定制御機能の実行に際しては、前記主コントローラは、前記テープ装置本体の各構成部材を前記動作状態記憶部に記憶された動作状態に設定制御する再起動状態設定機能を備えていることを特徴とした磁気テープ装置。
【請求項８】
請求項１乃至６の何れか一つに記載の磁気テープ装置において、
前記テープ装置本体が、当該テープ装置本体に予め装備された前記通常動作処理回路の記憶部が記憶している前記待機状態開始時の動作状態にかかる状態情報を前記動作状態記憶部に複写して当該動作状態記憶部の状態情報を書き換えする状態情報コピー制御回路を備えており、
前記待機状態の設定開始に際しては、前記テープ装置本体が事前に前記状態情報コピー制御回路を稼働させると共に、当該状態情報コピー制御回路を含む前記通常動作処理回路の全体を、前記待機状態制御部が前記通電停止制御機能の実行対象とすることを特徴とした磁気テープ装置。
【請求項９】
磁気テープを内蔵したテープカートリッジを格納するスロットと、上位装置からの指令により前記磁気テープへの記録／再生を行うテープドライブと、前記テープカートリッジを前記スロットと前記テープドライブの間で搬送するカートリッジ搬送機構と、これら各構成部材の動作を外部指令に基づいて制御する主コントローラとを備えたテープ装置本体を有する磁気テープ装置にあって、
前記上位装置からの記録／再生にかかる動作指令を受信することなく一定時間経過して予め設定された待機状態開始時間に至った場合に、前記テープ装置本体の待機待ちタイマ部が待機状態開始指令を発信し、
前記待機待ちタイマ回路部からの発信情報に基づいて作動し前記磁気テープ装置に備えられ通常使用されている通常動作回路に対し、前記テープ装置本体の待機状態制御部が備えている通電停止制御機能が前記通常動作回路の全体を対象とてその給電動作を全て停止制御し、
この給電動作の停止制御後に前記上位装置から状態確認用のコマンドが送信されて来た場合に、動作停止中の前記通常動作回路に代わって前記待機状態制御部が備えているコマンド代理応答処理部が代理応答するようにしたことを特徴とする磁気テープ装置用給電制御方法。
【請求項１０】
磁気テープを内蔵したテープカートリッジを格納するスロットと、上位装置からの指令により前記磁気テープへの記録／再生を行うテープドライブと、前記テープカートリッジを前記スロットと前記テープドライブの間で搬送するカートリッジ搬送機構と、これら各構成部材の動作を外部指令に基づいて制御する主コントローラとを備えたテープ装置本体を有する磁気テープ装置にあって、
前記上位装置から送信されて来る動作指令としてのコマンドを常時監視すると共に当該上位装置から記録／再生にかかる動作指令が送信されて来た場合にこれを検出して予め装備された待機待ちタイマ部へ伝送するコマンドを監視捕捉処理機能、
前記上位装置からの記録／再生にかかる動作指令を受信することなく一定時間経過後に発信される前記待機待ちタイマ部からの待機状態開始指令に基づいて作動し、前記磁気テープ装置に備えられ通常使用されている通常動作回路の全体を対象としてその給電動作を全て停止制御する給電停止制御処理機能、
この給電動作の停止制御後に前記上位装置から状態確認用のコマンドが送信されて来た場合に、動作停止中の前記通常動作回路に代わって代理応答するコマンド代理応答処理機能とを設け、
これらの各処理機能を前記テープ装置本体が備えているコンピュータに実現させるようにしたことを特徴とする磁気テープ装置用給電制御プログラム。
【発明の詳細な説明】
【技術分野】
【０００１】
本発明は、磁気テープ装置、磁気テープ装置用給電制御方法、及びその制御プログラムに係り、特に装置の連続使用に際しても消費電力が有効に抑制された磁気テープ装置、磁気テープ装置用給電制御方法、及びその制御プログラムに関する。
【背景技術】
【０００２】
従来、テープカートリッジに内蔵した磁気テープへの記録／再生を行うテープドライブ等を装備したテープライブラリ（磁気テープ装置）が各分野で使用されている。このテープライブラリは、システムデータのバックアップ装置として、深夜時間等のシステムの空き時間帯にのみ使用されるだけであるが、通常はサーバやディスクアレイ装置と一緒にラックに搭載されてマシン室等に設置されている。そのため、テープライブラリは、運用開始時から電源が投入されたまま使用され続ける場合が殆どである。
【０００３】
従来のテープライブラリ（磁気テープ装置）は、人手介入をなるべく無くすように、連続使用に対する部品の耐久性、バックアップしたデータの信頼性に重点を置いて開発されてきた。しかし、最近では環境保護の観点から電子機器類における省エネルギー対策についても顧客から着目されるようになってきており、出来るだけ消費電力を削減する必要性がでてきている。
【０００４】
消費電力削減のため、磁気テープ装置そのものについても、温度センサ付冷却ファンの設置、オペレーションパネルの表示部の消灯制御機能、及びテープドライブのスタンバイモード機能等を相次いで採用するようにはなってきている。又、顧客によっては、磁気テープ装置を使用する前後でバックアップサーバと共に電源を投入／切断するような運用により消費電力の削減を図っている場合もある。
【０００５】
一方、上述した消費電力削減に関しては、下記のような各種技術が提案されている。
例えば、非動作中の入出力装置の電源切断を行うことで消費電力を削減する給電制御装置としては、サーバと入出力装置間に、入出力処理の監視と入出力装置の電源制御を行う機能と、入出力装置のインタフェース情報の保持とサーバへの応答を代行する機能と、入出力装置の電源切断時にインタフェース情報を保持し電源投入時に動作状態を復元する機能を持つ入出力中継装置を仲介することにより、サーバとのセッションを維持したまま入出力装置の電源切断を可能とし、消費電力の削減を実現する構成のものがある（特許文献１）。
【０００６】
また、例えば、ネットワークに接続される機器の消費電力低減に関する技術としては、画像処理装置が通常稼動モードのときは、コントローラ部が入出力部を制御することでネットワークでの情報の送受信を行い、コントローラ部が低消費電力モードに移行した際には、入出力部がデータの送受信を制御する構成のものがある（特許文献２）。
【０００７】
更に、例えば、磁気テープ装置の電源投入時の処理にかかる時間を短縮可能とする給電制御方法としては、ロック指示に応答して磁気テープ装置内の媒体の投入及び入れ替えを防止するロック状態に磁気テープ装置を制御する工程と、ライブラリ装置内の媒体及び各媒体の位置を示すマップを作成する工程と、電源切断指示に応答して磁気テープ装置の電源をロック状態で切断する工程を実行する構成のものがある（特許文献３）。
【先行技術文献】
【特許文献】
【０００８】
【特許文献１】特開２０１１−８１４６５号公報
【特許文献２】特開２００３−８９２５４号公報
【特許文献３】特開２０１１−３９７２４号公報
【発明の概要】
【発明が解決しようとする課題】
【０００９】
しかしながら、従来の磁気テープ装置には次のような課題があった。
第１の課題は、磁気テープ装置ではバックアップジョブの開始／終了のスケジュールが分からないという問題があった。そのため、何時でも磁気テープ装置を動作可能にしておけるように待機状態であっても、磁気テープ装置には給電しておく必要があった。特にバックアップサーバとのインタフェースを司るホストＩ／Ｆ通信回路に関して、バックアップサーバがホストＩ／Ｆを介して磁気テープ装置と定期的に通信して状態を確認しているので、磁気テープ装置の電源だけを切断することはできないという問題があった。
【００１０】
又、磁気テープ装置に装備されているハンド等のモータ駆動部品は使用していなくとも、現在の状態を維持するためには回路を起動しておく必要があり、更に磁気テープ装置内の未使用な部分のみを選択して給電を停止するような機能も備えていなかった。そのため、待機状態の磁気テープ装置の消費電力を十分には削減できないという問題があった。
【００１１】
第２の課題は、待機中に磁気テープ装置をバックアップサーバと共に電源を切断しておく運用方法の場合、ホストＩ／Ｆ接続を考慮することなく磁気テープ装置の消費電力をゼロにすることはできた。しかし、電源投入時に、磁気テープ装置はハンドの位置決め動作や全てのスロットのテープカートリッジのインベントリを行って装置情報を更新する必要がある。
【００１２】
そのため、磁気テープ装置に構成されているスロット数やテープカートリッジの状態によっては起動の時間が掛かり、バックアップサーバとの起動時差により、ホストＩ／Ｆからの認識に失敗するという問題があった。また、磁気テープ装置の電源の切断／投入を頻繁に行うとインベントリが繰返され、稼動部品の磨耗が早まり、装置の寿命が縮んでしまうという問題や装置故障の原因になるという問題もあった。
【００１３】
〔発明の目的〕
本発明は、待機状態中の磁気テープ装置についてその消費電力を大幅に削減することが可能な磁気テープ装置、磁気テープ装置用給電制御方法、及びその制御プログラムを提供することを、その目的とする。
【課題を解決するための手段】
【００１４】
上記目的を達成するため、本発明にかかる磁気テープ装置は、磁気テープを内蔵したテープカートリッジ４を格納するスロットと、上位装置からの指令により前記磁気テープへの記録／再生を行うテープドライブと、前記テープカートリッジを前記スロットと前記テープドライブの間で搬送するカートリッジ搬送機構と、これら各構成部材の動作を外部指令に基づいて制御する主コントローラとを備えたテープ装置本体を有する磁気テープ装置であって、
前記テープ装置本体が、前記上位装置からの記録／再生にかかる動作指令を受信することなく一定時間経過して予め設定された待機状態開始時間に至った場合に待機状態開始指令を発信する待機待ちタイマ部と、前記待機待ちタイマ回路部から発信される待機状態開始指令に基づいて機能し前記磁気テープ装置が通常使用している通常動作回路に対する給電を全て停止制御する通電停止制御機能を備えた待機状態制御部とを有し、
この待機状態制御部が、前記通電停止制御機能による前記停止制御の実行後に前記上位装置から送信されて来る状態確認用のコマンドに対して前記通常動作回路に代わって代理応答するコマンド代理応答機能を備えていることを特徴とする。
【００１５】
上記目的を達成するため、本発明にかかる磁気テープ装置用給電制御方法は、磁気テープを内蔵したテープカートリッジ４を格納するスロットと、上位装置からの指令により前記磁気テープへの記録／再生を行うテープドライブと、前記テープカートリッジを前記スロットと前記テープドライブの間で搬送するカートリッジ搬送機構と、これら各構成部材の動作を外部指令に基づいて制御する主コントローラとを備えたテープ装置本体を有する磁気テープ装置にあって、
前記上位装置からの記録／再生にかかる動作指令を受信することなく一定時間経過して予め設定された待機状態開始時間に至った場合に、前記テープ装置本体の待機待ちタイマ部が待機状態開始指令を発信し、
前記待機待ちタイマ回路部からの発信情報に基づいて作動し前記磁気テープ装置に備えられ通常使用されている通常動作回路に対し、前記テープ装置本体の待機状態制御部が備えている通電停止制御機能が前記通常動作回路の全体を対象とてその給電動作を全て停止制御し、
この給電動作の停止制御後に前記上位装置から状態確認用のコマンドが送信されて来た場合に、動作停止中の前記通常動作回路に代わって前記待機状態制御部が備えているコマンド代理応答機能が代理応答するようにしたことを特徴とする。
【００１６】
上記目的を達成するため、本発明にかかる磁気テープ装置用給電制御プログラムは、磁気テープを内蔵したテープカートリッジを格納するスロットと、上位装置からの指令により前記磁気テープへの記録／再生を行うテープドライブと、前記テープカートリッジを前記スロットと前記テープドライブの間で搬送するカートリッジ搬送機構と、これら各構成部材の動作を外部指令に基づいて制御する主コントローラとを備えたテープ装置本体を有する磁気テープ装置にあって、
前記上位装置から送信されて来る動作指令としてのコマンドを常時監視すると共に当該上位装置から記録／再生にかかる動作指令が送信されて来た場合にこれを検出して予め装備された待機待ちタイマ部へ伝送するコマンドを監視捕捉処理機能、
前記上位装置からの記録／再生にかかる動作指令を受信することなく一定時間経過後に発信される前記待機待ちタイマ部からの待機状態開始指令に基づいて作動し、前記磁気テープ装置に備えられ通常使用されている通常動作回路の全体を対象としてその給電動作を全て停止制御する給電停止制御処理機能、
この給電動作の停止制御後に前記上位装置から状態確認用のコマンドが送信されて来た場合に、動作停止中の前記通常動作回路に代わって代理応答するコマンド代理応答処理機能とを設け、
これらの各処理機能を前記テープ装置本体が備えているコンピュータに実現させるようにしたことを特徴とする。
【発明の効果】
【００１７】
本発明は以上のように構成したので、これによると、待機待ちタイマ部によって待機状態開始のタイミングを確実にとらえることができ、待機状態制御部によって外部指令による通電開始等の指令が受信されるまでの間、前記磁気テープ装置が備えている通常動作回路全体を確実に給電停止制御することができ、この間の外部から送信されてくる状態確認のコマンドに対してはコマンド代理応答処理部がこれに対応して装置の正常動作を外部に応答することができ、これによって待機状態時の磁気テープ装置の消費電力を大幅に削減することができるという優れた磁気テープ装置、磁気テープ装置用給電制御方法、及びその制御プログラムを提供することができる。
【図面の簡単な説明】
【００１８】
【図１】本発明の一実施形態における磁気テープ装置の一構成例を示すブロック図である。
【図２】図１に示した実施形態における磁気テープ装置の装置本体部分の具体的構成を示すブロック図である。
【図３】本発明の他の実施形態における磁気テープ装置の装置本体部分の具体的構成を示すブロック図である。
【発明を実施するための形態】
【００１９】
〔実施形態〕
以下、本発明の一実施形態を図１乃至図２に基づいて説明する。
最初に、本実施形態において重要とする主たる内容について説明し、その後に、本実施形態の全体的内容を詳述する。
【００２０】
（基本的構成内容）
図１乃至図２において、本実施形態における磁気テープ装置は、磁気テープを内蔵したテープカートリッジ（以下「カートリッジ」という）４を格納するスロット３と、上位装置１０からの指令により前記磁気テープへの記録／再生を行うテープドライブ７と、前記カートリッジ４を前記スロット３と前記テープドライブ７の間で搬送するカートリッジ搬送機構５と、これら各構成部材の動作を外部指令に基づいて制御する主コントローラ６とを備えたテープ装置本体１Ａを有する。
【００２１】
このテープ装置本体１Ａは、上位装置１０からの記録／再生にかかるコマンド（動作指令）を受信することなく一定時間経過して予め設定された待機状態開始時間に至った場合に待機状態開始指令を発信する待機待ちタイマ部６９と、この待機待ちタイマ回路部６９から発信される待機状態開始指令に基づいて機能し前記磁気テープ装置が通常使用している通常動作回路６０に対する給電を全て停止制御する通電停止制御機能６７Ｂａを有する機状態制御部６７とを備えている。
【００２２】
又、この待機状態制御部６７は、前記通電停止制御機能６７Ｂａによる前記停止制御の実行後に前記上位装置１０から送信されて来る状態確認用のコマンドに対して前記通常動作回路６０に代わって代理応答するコマンド代理応答処理部６７Ａを備えている。
【００２３】
これにより、待機待ちタイマ部６９によって待機状態開始のタイミングを確実にとらえることができ、待機状態制御部６７によって外部指令による通電開始等に指令が受信されるまでの間、前記磁気テープ装置１が備えている通常動作回路全体を確実に給電停止制御することができ、この間の外部から送信されてくる状態確認のコマンドに対してはコマンド代理応答処理部６７Ａがこれに対応して装置の正常動作（異常なし）を外部に応答することができ、これによって、待機状態時の磁気テープ装置の消費電力を大幅に削減することが可能となる。
【００２４】
ここで、上記テープ装置本体１Ａは、上位装置１０から送信されて来る動作指令としてのコマンドを監視すると共に前記カートリッジ搬送機構５に対するカートリッジ搬送指令のコマンド有無を検出するコマンド監視部６６を備えている。そして、このコマンド監視部６６が、前記上位装置１０から記録／再生にかかる指令が送信されて来た場合にこれを前記待機待ちタイマ部６９へ伝送する機能を備えている。このため、待機待ちタイマ部６９は、そのタイミングで動作を開始し得るようになっている。
【００２５】
又、この待機待ちタイマ部６９は、コマンド監視部６６を介して送られて来る上位装置１０からの記録／再生にかかる動作指令（搬送コマンド）の未検出時間を計測する未検出時間計測機能と、この未検出時間の時間間隔が待機状態開始時間として予め設定された時間間隔を経過した場合に前記待機状態開始指令の発信を実行する待機状態設定指令発信機能とを備えている。
これにより、待機待ちタイマ部６９は、高精度に待機状態開始指令を発信し得るようになっている。
【００２６】
更に、テープ装置本体１Ａは、当該磁気テープ装置全体が待機状態か又は通電状態かを（前記主コントローラ６の指令により／具体的には待機状態制御部６７に付勢されて）設定しその状態情報を保持する待機状態設定部６８を備えている。又、前記待機状態制御部６７は、この待機状態設定部６８からの待機状態を示す状態情報に基づいて前記通電停止制御機能６７Ｂａの実行を継続する構成となっている。
【００２７】
又、前述した主コントローラ６は、テープ装置本体１Ａが備えている各構成部材の動作状態を監視する動作状態監視部６Ａと、この動作状態監視部６Ａで監視し把握した前記各構成部材の前記待機状態開始時の動作状態にかかる情報を記憶する動作状態記憶部６Ｂとを備えている。
【００２８】
更に、待機状態制御部６７は、前記上位装置１０から搬送指示コマンドが入力された場合に機能し前記通常動作回路６０の全体を通電状態に設定する通電状態設定制御機能（通電停止解除制御機能）６７Ｂｂを備えている。
【００２９】
ここで、待機状態制御部６７による通電状態設定制御機能６７Ｂｂの実行に際しては、前記主コントローラ６は、テープ装置本体１Ａの各構成部材を前記動作状態記憶部６Ｂに記憶された動作状態に設定制御する再起動状態設定機能を備えている。
これにより、前述した主コントローラ６は、磁気テープ装置本体１の全体の再起動に際しては、停止直前の状態情報をもって各構成要素の動作状態を設定し再起動し得るようになっている。
【００３０】
即ち、本実施形態では、磁気テープ装置の通常処理回路６０を停電させて待機状態にしている間、バックアップサーバ１０と磁気テープ装置１とのホストＩ／Ｆ通信を維持するために磁気テープ装置向けコマンドに対して代理として応答させるコマンド代理応答処理路６７Ａと、このコマンド代理応答処理部６７Ａ以外の磁気テープ装置１内のハンドを含む通常動作回路６０を停電させ或いは当該停電を解除するライブラリ待機状態用の電源制御部６７Ｂとを備えている点が、重要な構成内容とされる。
【００３１】
このため、本実施形態では、磁気テープ装置１に対してホストＩ／Ｆを介して接続されているバックアップサーバ１０から磁気テープ装置１内のカートリッジ４に対して、深夜時間等のシステムのサービス停止時間帯に毎日バックアップを実行するような、バックアップの実行間隔が長時間の場合には、以下のように制御を行う。
【００３２】
即ち、次のバックアップの実行が開始されるまで、磁気テープ装置１は、長時間使用されない待機状態をバックアップサーバ１０から磁気テープ装置１へホストＩ／Ｆを介して送信されたカートリッジ用の搬送コマンドの種類で検出できるようにする。
その待機状態中は、バックアップサーバ１０から磁気テープ装置１へのホストＩ／Ｆコマンドをコマンド代理応答処理部６７Ａで処理し、磁気テープ装置１内のハンド５や冷却ファン等の通常使用している電気回路は全て停電させる。
【００３３】
これにより、磁気テープ装置１におけるバックアップサーバ１０とのホストＩ／Ｆ通信には全く影響を及ぼすことなく、待機状態中の磁気テープ装置の消費電力を大幅に削減することが可能となるようにした。
【００３４】
また、待機状態中に次のバックアップが開始された場合、磁気テープ装置１は、ホストＩ／Ｆからのカートリッジ用搬送コマンドを検出することで、バックアップ開始を認識でき、ハンド等の電気回路の停電を解除する。更に、磁気テープ装置１において待機状態前に保存した状態情報を使って通常起動時の初期設定動作を省略できるようにする。これにより、最小時間で磁気テープ装置を元の通常状態に戻すことが可能となる。
【００３５】
（具体的内容）
以下、これを図面に基づいて更に詳述する。
図１乃至図２において、磁気テープ装置１は、記録用の磁気テープを内蔵するカートリッジ４と、このカートリッジ４を格納しておくためのスロット（保管庫）３と、４つのスロット３から成り磁気テープ装置１から取り外し可能なマガジン２と、バックアップサーバ１０とはSCSI等のホストＩ／Ｆで接続されカートリッジ４にバックアップサーバ１０から受信したデータを記録し又バックアップサーバ１０へカートリッジ４のデータ再生を行うテープドライブ７とを備えている。
【００３６】
この磁気テープ装置１は、また、バックアップサーバ１０からの命令に従ってカートリッジ４をスロット３とテープドライブ７の間で移動させるハンド（搬送手段）５と、オペレータに磁気テープ装置１の状態を示す或いはオペレータが磁気テープ装置１に人手介入する（例えばマガジン２の取り出し等の）ためのオペレータパネル９と、交流（ＡＣ）電源が給電され電源オン／オフ（ＯＮ／ＯＦＦ）スイッチを有し交流を直流（ＤＣ）に変換してハンド５やオペレータパネル９を含む磁気テープ装置１全体の動作を制御する主コントローラ６と、当該磁気テープ装置１の構成各部に給電する制御を行う電源制御部６７Ｂとを備えている。
【００３７】
ここで、上記したテープドライブ７は、バックアップサーバ１０からのハンド５の対する動作指令のコマンド（磁気テープ装置１向け及びテープドライブ７向けのコマンド）のホストＩ／Ｆ通信を制御し、受信したコマンドを仕分けして次の処理に渡すためのホストＩ／Ｆ通信制御回路７１と、テープドライブ７へのコマンドを実行するためのドライブコマンド処理制御部７２と当該磁気テープ装置１へのコマンドを主コントローラ６へライブラリＩ／Ｆ（ＲＳ２３２Ｃのような既存Ｉ／Ｆ）で通信するためのライブラリＩ／Ｆドライブ側制御回路７３とから構成されている。
【００３８】
又、主コントローラ６は、テープドライブ７がホストＩ／Ｆから受信したコマンドをライブラリＩ／Ｆで通信するためのライブラリＩ／Ｆ本体装置側制御回路６１と、ハンド５等へのコマンドを実行するためのコマンド処理制御部６２と、スロット３のカートリッジ４有無等の磁気テープ装置１の現在の動作状態の情報を記憶してあるライブラリ状態情報記憶部６３と、ハンド５の動作を制御するハンド動作制御部６４とを備えている。
【００３９】
更に、この主コントローラ６は、オペレータパネル９へ磁気テープ装置１の状態を表示させたり、オペレータパネル９からマガジン２を取り外す等の操作が成された場合にその処理を行うオペレータパネル制御部６５と、ライブラリＩ／Ｆ本体装置側制御回路６１からコマンド処理制御部６２に送られるコマンドを監視し、カートリッジ搬送コマンドを検出した場合には、それを通知するためのコマンド監視制御部６６と、を備えている。
【００４０】
この主コントローラ６は、更に、カートリッジ搬送コマンドの未検出時間を計測し、コマンド監視制御部６６の結果から計測した時間が予め規定した待機状態開始時間に達した場合それを通知する待機待ちタイマ部６９と、磁気テープ装置１を消費電力を削減した待機状態へ遷移させる或いは元の通常状態に戻す制御を行うための待機状態制御部６７と、現在磁気テープ装置１の待機状態又は通常状態（初期値）を待機状態制御部６７からの指令に基づいて設定し保持する待機状態設定部６８と、前記磁気テープ装置１が待機状態の間に送信されて来るバックアップサーバ１０からの（状態確認用の）コマンドに応答するためのコマンド代理応答処理部６７Ａと、を備えている。
【００４１】
又、この主コントローラ６は、待機状態開始時の磁気テープ装置１の状態情報をライブラリ状態情報記憶部６３から読出して保存しておくための待機状態情報記憶部６Ｂと、ＡＣ電源を磁気テープ装置１に給電する電源制御部６７Ｂとを備えている。
この内、電源制御部６７Ｂは、待機状態制御部６７からの指示により主コントローラ６の中で通常動作回路６０（６２〜６５）及びそれらと関連するハンド５や、オペレータパネル９等への給電を停止／解除するための通電停止制御機能６７Ｂａおよび通電停止解除制御機能（通電状態設定制御機能）６７Ｂｂを備えて構成されている。
【００４２】
これにより、前述したように、磁気テープ装置１におけるバックアップサーバ１０とのホストＩ／Ｆ通信には全く影響を及ぼすことなく、待機状態中の磁気テープ装置の消費電力を大幅に削減することが可能となるようにした。同時に、最小時間で磁気テープ装置を元の通常状態に戻すことを可能とした。
【００４３】
〔動作説明〕
次に、図１ないし図２に開示したシステムの動作を説明ずる。
最初に、本実施形態における基本的な動作について説明し、その後にシステム全体の動作を詳述する。
【００４４】
まず、上位装置１０からの記録／再生にかかる動作指令を受信することなく一定時間経過して予め設定された待機状態開始時間に至った場合に、テープ装置本体１Ａの待機待ちタイマ部６９が待機状態開始指令を発信する。
【００４５】
次に、この待機待ちタイマ部６９からの発信情報に基づいて作動し前記磁気テープ装置１に備えられ通常使用されている通常動作回路６０に対して待機状態制御部６７の通電停止制御機能６７Ｂａが通常動作回路６０の全体を対象とてその給電動作を全て停止制御する。
続いて、この給電動作の停止制御後に前記上位装置１０から状態確認用のコマンドが送信されて来た場合に、動作停止中の前記通常動作回路６０に代わって前記待機状態制御部６７が備えているコマンド代理応答処理部６７Ａが代理応答するようにした。
【００４６】
ここで、上記待機待ちタイマ部６９による待機状態開始指令の発信に先立って、前記上位装置１０から送信されて来る動作指令としてのコマンドをコマンド監視部６６が常時監視し、続いて、前記上位装置１０から記録／再生にかかる動作指令が送信されて来た場合にコマンド監視部６６がこれを検出して前記待機待ちタイマ部６９へ伝送するようにした。
【００４７】
更に、この待機待ちタイマ部６９は、コマンド監視部６６を介して送られて来る上位装置１０からの記録／再生にかかる動作指令（搬送コマンド）に対しては、予めその未検出時間を計測し、この未検出時間の時間間隔が待機状態開始時間として予め設定された時間間隔を経過した場合に、前述した待機状態開始指令の発信動作を実行するように構成されている。
【００４８】
又、上記構成要素の各動作に対応して、上記磁気テープ装置１の全体が待機状態か又は通電状態かを前記主コントローラ６の制御動作を介して前記テープ装置本体１Ａの待機状態設定部６８が設定し、同時に当該設定された状態情報を保持し、この待機状態設定部６８からの待機状態を示す状態情報に基づいて、前述した待機状態制御部６７が通電停止制御機能６７Ｂａの実行を継続する、という手順が設定されている。
【００４９】
又、テープ装置本体１Ａが備えている各構成部材の動作状態については、これを主コントローラ６の動作状態監視部６Ａが監視し、この動作状態監視部６Ａで監視し把握した前記各構成部材の前記待機状態開始時の動作状態にかかる情報を、前記主コントローラ６の動作状態記憶部６Ｂが記憶するようにした。
【００５０】
続いて、上位装置１０から搬送指示コマンドが入力された場合に、前記待機状態制御部６７の通電状態設定制御機能（通電停止解除制御機能）６７Ｂｂが機能し、前記通常動作回路６０の全体を通電状態に設定制御するようにした。
この場合、この通電状態設定制御機能６７Ｂｂの実行に際し、前記テープ装置本体１Ａの各構成部材の動作開始状態を、前記主コントローラ６が前記動作状態記憶部６Ｂに記憶された動作状態に基づいて設定制御するようにした。
これにより、通電停止解除がなされた場合、本実施形態では、直ちに各構成要素は待機状態開始時の動作状態から動作が開始されるようになっている。
【００５１】
以下これを更に具体的に説明する。
（初期動作と状態情報の確認）
図１乃至図２に示す実施形態にあっては、オペレータがバックアップサーバ１０のバックアップソフトを使って、バックアップサーバ１０に接続されている磁気テープ装置１へ毎日規定時間に自動バックアップを行うシステムを構築する場合には、まず、磁気テープ装置１をＳＣＳＩ等のホストＩ／Ｆケーブルにより接続して、電源ユニット８の電源スイッチをオン（ＯＮ）にする。
【００５２】
まず、電源スイッチをＯＮされると、電源ユニット８は、主コントローラ６やテープドライブ７等の磁気テープ装置１内部の全ての電気回路に電源を給電する。そして、電源を給電されたテープドライブ７は、初期起動を実行する。
即ち、主コントローラ６は、待機状態設定部６８を参照して磁気テープ装置１が通常状態（初期値）であることを認識し、マガジン２が磁気テープ装置１に正常に実装されているのを確認してから、ハンド動作制御部６４に通常の初期設定とスロット３のインベントリ実行を指示する。
【００５３】
主コントローラ６は、ライブラリ状態情報記憶部６３を初期化して状態情報を「起動中」に書き換える。又、初期設定とスロット３のインベントリ実行を指示されたハンド動作制御部６４は、ハンド（搬送手段）５を移動して基準点の位置決めを行った後、ハンド５をマガジン２（図１では２個）の全てのスロット３（図１では４個）の前に移動させる。更に、このハンド動作制御部６４は、スロット３内のカートリッジ４の有無を確認し、ライブラリ状態情報記憶部６３にハンド５の位置付け情報と確認したスロット３毎のカートリッジ４の有無情報を書き込み、インベントリ終了後に主コントローラ６へ終了報告する。
【００５４】
終了報告を受け取った主コントローラ６は、ライブラリＩ／Ｆ装置本体側制御部６１にテープドライブ７の状態情報の読み出しを指示する。ライブラリＩ／Ｆ装置本体側制御部６１は、ライブラリＩ／Ｆドライブ側制御回路７３へテープドライブ７の状態情報読み出しコマンドを送信する。状態情報読み出しコマンドを受信したライブラリＩ／Ｆドライブ側制御部７３は、テープドライブ７のカートリッジ４の有無、異常の有無等の状態情報をライブラリＩ／Ｆ装置本体側制御部６１に報告する。
【００５５】
報告を受け取ったライブラリＩ／Ｆ装置本体側制御部６１は、これを主コントローラ６に報告する。主コントローラ６は、受け取ったテープドライブ７の状態情報をライブラリ状態情報記憶部６３に書き込み、磁気テープ装置１の状態情報を「動作可能」に書き換える。
【００５６】
そして、主コントローラ６は、オペレータパネル制御部６５に初期起動を指示する。初期起動を指示されたオペレータパネル制御部６５は、オペレータパネル９に初期設定を行い、ライブラリ状態情報記憶部６３から磁気テープ装置１の状態、スロット３の情報、テープドライブ７の状態情報を読み出してオペレータパネル９に表示させる。
【００５７】
次に、オペレータは、磁気テープ装置１からマガジン２を取り出す操作をオペレータパネル９を介して行う。主コントローラ６は、オペレータパネル９からのマガジン２の取り出し操作をオペレータパネル制御部６５から受け取り、ライブラリ状態情報記憶部６３に記憶している磁気テープ装置１の状態情報を「操作待ち」に書き換え、ハンド動作制御部６４にマガジン２の排出を指示する。マガジン２の排出を指示されたハンド動作制御部６４は、ハンド５を動かしてマガジン２を排出させる。
【００５８】
オペレータは、排出されたマガジン２を磁気テープ装置１から取り外し、バックアップ用のカートリッジ４をスロット３に装填してマガジン２を磁気テープ装置１に再実装する。主コントローラ６は、マガジン２の再実装を検出して、ハンド動作制御部６４にマガジン２のスロット３のインベントリ実行を指示する。インベントリ実行を指示されたハンド動作制御部６４は、ハンド５を動かしてスロット３内のカートリッジ４の有無を確認し、その結果を主コントローラ６に報告する。
【００５９】
主コントローラ６は、受け取ったインベントリ結果に合わせてライブラリ状態情報記憶部６３に記憶しているスロット３情報を更新し、磁気テープ装置１の状態情報を「動作可能」に変更してオペレータパネル制御部６５に状態表示の更新を指示する。状態表示の更新を指示されたオペレータパネル制御部６５は、ライブラリ状態情報記憶部６３から状態情報を読み出してオペレータパネル９に表示させる。
【００６０】
（使用可能状態の確認）
次に、オペレータは、オペレータパネル９にテータカートリッジ４有りと「動作可能」が表示されたのを確認して、バックアップサーバ１０の電源をＯＮする。電源をＯＮされたバックアップサーバ１０は、ホストＩ／Ｆを介して接続されている磁気テープ装置１とテープドライブ７に状態確認のコマンドを送信する。磁気テープ装置１とテープドライブ７に送信された状態確認のコマンドは、両方ともホストＩ／Ｆ通信制御部７１が受信する。
【００６１】
ホストＩ／Ｆ通信制御部７１は、テープドライブ７状態確認のコマンドをドライブコマンド処理制御部７２に送信し、磁気テープ装置１の状態確認のコマンドをライブラリＩ／Ｆドライブ側制御部７３に送信する。テープドライブ７の状態確認のコマンドを受け取ったドライブコマンド処理制御部７２は、テープドライブ７の状態情報をホストＩ／Ｆ通信制御部７１に報告する。ホストＩ／Ｆ通信制御部７１は、受け取った状態情報をバックアップサーバ１０に送信する。
【００６２】
又、磁気テープ装置１の状態確認のコマンドを受け取ったライブラリＩ／Ｆドライブ側制御部７３は、前記コマンドをライブラリＩ／Ｆ装置本体側制御部６１に送信する。ライブラリＩ／Ｆ装置本体側制御部６１は、前記コマンドをコマンド処理制御部６２に送信する。この際、コマンド監視制御部６６は、コマンド処理制御部６２に送信されたコマンドを分析し、状態確認のコマンドであるため何もしない。
【００６３】
状態確認のコマンドを受け取ったコマンド処理制御部６２は、ライブラリ状態情報記憶部６３から磁気テープ装置１やスロット３の状態情報を読み出して、ライブラリＩ／Ｆ装置本体側制御部６１に送信する。ライブラリＩ／Ｆ装置本体側制御部６１は、該状態情報をライブラリＩ／Ｆドライブ側制御部７３に送信する。
【００６４】
ライブラリＩ／Ｆドライブ側制御部７３は、該状態情報をホストＩ／Ｆ通信制御部７１に送信する。ホストＩ／Ｆ通信制御部７１は、受け取った状態情報をバックアップサーバ１０に送信する。
【００６５】
又、バックアップサーバ１０は、報告された磁気テープ装置１とテープドライブ７の状態情報を確認し、磁気テープ装置１とテープドライブ７を使用可能と認識する。尚、バックアップサーバ１０は、このような磁気テープ装置１とテープドライブ７への状態確認コマンドを定期的に送信して使用可能かどうかを確認し続ける。もし、バックアップサーバ１０に異常な状態情報が報告されたり、応答がなかったりした場合には、以後、磁気テープ装置１とテープドライブ７を使用不可と認識する。
【００６６】
（カートリッジの状態確認）
次に、バックアップサーバ１０の正常起動後、オペレータは、バックアップサーバ１０上でバックアップソフトを起動する。
【００６７】
このバックアップソフトに付勢されて稼働するバックアップサーバ１０は、磁気テープ装置１の中にあるカートリッジ４の使用可否を確認するため、磁気テープ装置１にスロット３のカートリッジ４をテープドライブ７へ移動させるコマンドを、磁気テープ装置１に送信する。ここで、ホストＩ／Ｆ通信制御部７１は、コマンドを受信して磁気テープ装置１向けと判断し、前記コマンドをライブラリＩ／Ｆドライブ側制御部７３に送信する。
【００６８】
ライブラリＩ／Ｆドライブ側制御部７３は、前記コマンドをライブラリＩ／Ｆ装置本体側制御部６１に送信する。ライブラリＩ／Ｆ装置本体側制御部６１は、前記コマンドをコマンド処理制御部６２に送信する。この際、コマンド監視制御部６６は、コマンド処理制御部６２に送信されたコマンドを分析し、前記コマンドがスロット３のカートリッジ４をテープドライブ７へ移動させるコマンドで、尚且つ、待機状態設定部６８が「通常状態」に設定されているため、何もしない。
【００６９】
スロット３のカートリッジ４をテープドライブ７へ移動させるコマンドを受け取ったコマンド処理制御部６２は、カートリッジ４の移動をハンド動作制御部６４へ指示する。ハンド動作制御部６４は、ハンド５をスロット３の前に移動させる。更に、ハンド動作制御部６４は、スロット３からカートリッジ４をハンド５内に取り込む。更に、ハンド動作制御部６４は、ハンド５をテープドライブ７の前に移動させる。そして、ハンド動作制御部６４は、ハンド５内のカートリッジ４をテープドライブ７に挿入して、実行結果をコマンド処理制御部６２に報告する。
【００７０】
実行結果を受け取ったコマンド処理制御部６２は、ライブラリ状態情報記憶部６３に保存されているカートリッジ４の情報を更新し、ライブラリＩ／Ｆ装置本体側制御部６１へ実行完了を報告する。実行完了を報告されたライブラリＩ／Ｆ装置本体側制御部６１は、実行完了をライブラリＩ／Ｆドライブ側制御部７３に送信する。ライブラリＩ／Ｆドライブ側制御部７３は、実行完了をホストＩ／Ｆ通信制御部７１に送信する。ホストＩ／Ｆ通信制御部７１は、実行完了をバックアップサーバ１０に送信する。
【００７１】
（データ読取り動作の開始／使用可否の確認）
バックアップサーバ１０は、カートリッジ４の移動が実行されたことを認識し、次にテープドライブ７へのカートリッジ４の読み取りコマンドを磁気テープ装置１に送信する。
ホストＩ／Ｆ通信制御部７１は、テープドライブ７へのカートリッジ４の読み取りコマンドを受信し、前記コマンドをドライブコマンド処理制御部７２に送信する。又、コマンドを受取ったドライブコマンド処理制御部７２は、テープドライブ７に挿入されているカートリッジ４に記録されているデータを読み取り、ホストＩ／Ｆ通信制御部７１に送信する。
【００７２】
ホストＩ／Ｆ通信制御部７１は、受け取ったデータをバックアップサーバ１０に送信する。バックアップサーバ１０は、受信したデータを確認してカートリッジ４が使用可能であることを認識し、テープドライブ７からカートリッジ４をスロット３へ戻すコマンドを磁気テープ装置１に送信する。
ホストＩ／Ｆ通信制御部７１は、コマンドを受信して磁気テープ装置１向けと判断し、前記コマンドをライブラリＩ／Ｆドライブ側制御部７３に送信する。
【００７３】
ライブラリＩ／Ｆドライブ側制御部７３は、前記コマンドをライブラリＩ／Ｆ装置本体側制御部６１に送信する。ライブラリＩ／Ｆ装置本体側制御部６１は、前記コマンドをコマンド処理制御部６２に送信する。
この際、コマンド監視制御部６６は、コマンド処理制御部６２に送信されたコマンドを分析し、前記コマンドがテープドライブ７のカートリッジ４をスロット３へ戻すコマンドで、尚且つ、ライブラリ待機状態設定部６８が「通常状態」に設定されているため、「待機待ち開始」信号を待機状態制御部６７に送信する。
【００７４】
（待機状態の設定とバックアップ実行可否の確認）
「待機待ち開始」信号を受信した待機状態制御部６７は、ライブラリ待機状態設定部６８による状態設定を「通常状態」から「待機待ち状態」に変更し、待機待ちタイマ制御部６９を再起動する。
再起動された待機待ちタイマ部６９は、タイマをリセットして計測を開始し、タイマの計測値と予め規定された待機状態開始時間とを比較する。テープドライブ７のカートリッジ４をスロット３に戻すコマンドを受け取ったコマンド処理制御部６２は、ハンド動作制御部６４へそれを指示する。
【００７５】
ハンド動作制御部６４は、ハンド５をテープドライブ７の前に移動させる。また、ハンド動作制御部６４は、テープドライブ７からカートリッジ４をハンド５内に取り込む。また、ハンド動作制御部６４は、ハンド５をスロット３の前に移動させる。そして、ハンド動作制御部６４は、ハンド５内のカートリッジ４をスロット３に挿入して、実行結果をコマンド処理制御部６２に報告する。
【００７６】
実行結果を受け取ったコマンド処理制御部６２は、ライブラリ状態情報記憶部６３に保存されているカートリッジ４の情報を更新し、ライブラリＩ／Ｆ本体装置側制御部６１へ実行完了を報告する。実行完了を報告されたライブラリＩ／Ｆ本体装置側制御部６１は、実行完了をライブラリＩ／Ｆドライブ側制御部７３に送信する。
【００７７】
ライブラリＩ／Ｆドライブ側制御部７３は、実行完了をホストＩ／Ｆ通信制御部７１に送信する。ホストＩ／Ｆ通信制御部７１は、実行完了をバックアップサーバ１０に送信する。バックアップサーバ１０は、カートリッジ４の移動が完了したことを認識し、カートリッジ４へのバックアップは実行可能とオペレータに知らせる。
【００７８】
（データバックアップの実行）
バックアップサーバ１０からの知らせを受けたオペレータは、カートリッジ４へ２４時間毎にバックアップを行うジョブを作成して実行する。ジョブが実行されたバックアップサーバ１０は、スロット３のカートリッジ４をテープドライブ７へ移動させるコマンド（カートリッジ移動指令）をバックアップサーバ１０から磁気テープ装置１に送信する。ホストＩ／Ｆ通信制御部７１は、このコマンドを受信する。
【００７９】
上述と同様に、前記コマンド（カートリッジ移動指令）は、ホストＩ／Ｆ通信制御部７１からライブラリＩ／Ｆドライブ側制御部７３、ライブラリＩ／Ｆライブラリ側制御部６１、コマンド処理制御部６２、ハンド動作制御部６４へと送信される。
【００８０】
この際、コマンド監視制御部６６は、コマンド処理制御部６２に送信されたコマンドを分析し、前記コマンドがスロット３のカートリッジ４をテープドライブ７へ移動させるコマンドで、尚且つ、待機状態設定部６８が「待機待ち状態」を設定しているため、「通常状態開始」信号を待機状態制御部６７に送信する。
【００８１】
続いて、「通常状態開始」信号を受信した待機状態制御部６７は、待機状態設定部６８で設定されている「待機待ち状態」から「通常状態」に変更し、待機待ちタイマ部６９の動作を停止する。
スロット３のカートリッジ４をテープドライブ７へ移動させる指示を受け取ったハンド動作制御部６４は、上述と同様に、ハンド５を操作してカートリッジ４をスロット３からテープドライブ７に移動させ、実行結果をコマンド処理制御部６２に報告する。
【００８２】
実行結果は、コマンド処理制御部６２からライブラリＩ／Ｆ装置本体側制御部６１、ライブラリＩ／Ｆドライブ側制御部７３、ホストＩ／Ｆ通信制御部７１、バックアップサーバ１０へと送信される。
【００８３】
また、コマンド処理制御部６２は、ライブラリ状態情報記憶部６３に保存されているカートリッジ４の情報を更新する。バックアップサーバ１０は、カートリッジ４の移動が完了したことを認識し、次にテープドライブ７のカートリッジ４へのデータ書き込みコマンドとバックアップデータを送信する。
【００８４】
ホストＩ／Ｆ通信制御部７１は、上述と同様に、受信したテープドライブ７のカートリッジ４へのデータ書き込みコマンドとバックアップデータをドライブコマンド処理制御部７２に送信する。ドライブコマンド処理制御部７２は、受け取ったデータをカートリッジ４に書き込み、その結果をホストＩ／Ｆ通信制御部７１からバックアップサーバ１０に送信する。
【００８５】
バックアップサーバ１０は、カートリッジ４へのデータ書き込みが完了したことを認識し、テープドライブ７からカートリッジ４をスロット３へ戻すコマンドを磁気テープ装置１に送信する。ホストＩ／Ｆ通信制御部７１は、コマンドを受信し、上述と同様に当該コマンドを、ライブラリＩ／Ｆドライブ側制御部７３，ライブラリＩ／Ｆ装置本体側制御部６１，コマンド処理制御部６２，及びハンド動作制御部６４に送信する。
【００８６】
ハンド動作制御部６４は、ハンド５を操作して、テープドライブ７のカートリッジ４はスロット３に戻させる。この際、コマンド監視制御部６６は、コマンド処理制御部６２に送信されたコマンドを分析し、前記コマンドがテープドライブ７のカートリッジ４をスロット３へ戻すコマンドで、尚且つ、待機状態設定部６８が「通常状態」を設定しているため、「待機待ち開始」信号を待機状態制御部６７に送信する。
【００８７】
待機状態制御部６７は、待機状態設定部６８で設定されている「通常状態」を「待機待ち状態」に変更して、待機待ちタイマ部６９を再起動する。バックアップサーバ１０は、カートリッジ４の移動が完了したことを認識し、次のバックアップを開始するまで所定時間（例えば２４時間）待つ。
【００８８】
（待機実行と給電停止制御）
次のバックアップが開始されるまでの間に、待機待ちタイマ部６９の計測値は待機状態開始時間に達する。それを待機待ちタイマ部６９は、待機状態制御部６７に通知する。
【００８９】
待機状態開始時間の到達の通知を受けた待機状態制御部６７は、ライブラリ状態情報記憶部６３から磁気テープ装置１の状態情報を読み出して、それを待機状態情報記憶部６Ｂに格納する。更に、待機状態設定部６８による状態設定を「待機待ち状態」から「待機実行状態」に設定変更し、電源制御部６７Ｂに停電開始を指示する。
【００９０】
停電開始を指示された電源制御部６７Ｂは、コマンド処理制御部６２と、ライブラリ状態情報記憶部６３と、ハンド動作制御部６４と、オペレータパネル制御回路６５と、ハンド５と、オペレータパネル９への給電停止を、電源ユニット８に指示する。
そして、電源ユニット８は、電源制御部６７Ｂに指令にて作動し、指示された回路への給電を停止する。給電停止後、待機状態制御部６７は、直ちにコマンド代理応答処理部６７Ａを起動する。起動されたコマンド代理応答処理部６７Ａは、ライブラリＩ／Ｆ装置本体側制御部６１からコマンドが送信されるのを待つ。
【００９１】
次に、バックアップサーバ１０は、次のバックアップを開始するまで間、待機状態の磁気テープ装置１へ状態確認コマンドを定期的に送信する。磁気テープ装置１に送信された状態確認のコマンドは、テープドライブ７のホストＩ／Ｆ通信制御部７１が受信し、ホストＩ／Ｆ通信制御部７１からライブラリＩ／Ｆドライブ側制御部７３、ライブラリＩ／Ｆ装置本体側制御部６１に送信される。
【００９２】
ライブラリＩ／Ｆ装置本体側制御部６１は、ライブラリコマンド処理制御部６２が停止中のため、前記コマンドをコマンド代理応答処理部６７Ａに送信する。この際、コマンド監視制御部６６は、送信されたコマンドを分析し、前記コマンドは状態確認のコマンドであるため何もしない。
【００９３】
状態確認のコマンドを受け取ったコマンド代理応答処理部６７Ａは、待機状態情報記憶部６Ｂから磁気テープ装置１とスロット３の状態情報を読み出して、ライブラリＩ／Ｆ装置本体側制御部６１に送信する。この状態情報は、ライブラリＩ／Ｆ装置本体側制御部６１からライブラリＩ／Ｆドライブ側制御部７３、ホストＩ／Ｆ通信制御部７１、バックアップサーバ１０へと送信される。バックアップサーバ１０は、報告された磁気テープ装置１の状態情報を確認し、異常無しと認識する。
【００９４】
（バックアップ再開の準備動作）
そして、所定時間後（例えば２４時間後）に次のバックアップが開始されると、バックアップソフトは、スロット３のカートリッジ４をテープドライブ７へ移動させるコマンドをバックアップサーバ１０から磁気テープ装置１へ送信する。前記コマンドは、ホストＩ／Ｆ通信制御部７１が受信し、上述と同様に、ホストＩ／Ｆ通信制御部７１からライブラリＩ／Ｆドライブ側制御部７３、ライブラリＩ／Ｆ装置本体側制御部６１、コマンド代理応答処理部６７Ａへと送信される。
【００９５】
この際、コマンド監視制御部６６は、送信されたコマンドを分析し、前記コマンドがスロット３のカートリッジ４をテープドライブ７へ移動させるコマンドで、尚且つ、待機状態設定部６８が「待機実行状態」に設定されているため、「通常状態開始」信号を待機状態制御部６７に送信する。カートリッジ４の搬送コマンドを受信したコマンド代理応答処理部６７Ａは、処理できないので何もしない。
【００９６】
送信したコマンドへの応答が無いライブラリＩ／Ｆ装置本体側制御部６１は、コマンドが実行されるまで一定時間の間隔でコマンドを再送信し続ける。「通常状態開始」信号を受信した待機状態制御部６７は、待機状態設定部６８を「待機実行状態」から「通常待ち状態」に変更し、電源制御部６７Ｂに停電解除を指示する。
【００９７】
停電解除を指示された電源制御部６７Ｂは、コマンド処理制御部６２と、ライブラリ状態情報記憶部６３と、ハンド動作制御部６４と、オペレータパネル制御部６５と、ハンド５と、オペレータパネル９への停電解除を電源ユニット８に指示する。
電源ユニット８は、指示された回路への給電を再開する。これにより、各回路は再起動して初期状態となる。
【００９８】
待機状態制御部６７は、初期状態を待機状態直前に戻すため、ライブラリ待機状態情報記憶部６Ｂに保存されている情報を読み出し、初期状態となったライブラリ状態情報記憶部６３へ書き込む。更に、コマンド代理応答処理部６７Ａを停止させて、待機状態設定部６８を「通常待ち状態」から「通常状態」に変更する。
【００９９】
ライブラリＩ／Ｆ装置本体側制御部６１から再送信されたスロット３のカートリッジ４をテープドライブ７へ移動させるコマンドは、コマンド処理制御部６２が受信し、ライブラリ状態情報記憶部６３でカートリッジ４の情報を確認してからハンド動作制御部６４に送信される。ハンド動作制御部６４は、上述と同様に、ハンド５を操作してカートリッジ４をスロット３からテープドライブ７に移動させ、その実行結果をコマンド処理制御部６２に報告する。
【０１００】
実行結果は、コマンド処理制御部６２からライブラリＩ／Ｆ装置本体側制御部６１、ライブラリＩ／Ｆドライブ側制御部７３、ホストＩ／Ｆ通信制御部７１、バックアップサーバ１０に送信される。また、コマンド処理制御部６２は、ライブラリ状態情報記憶部６３に保存されているカートリッジ４の情報を更新し、その更新はオペレータパネル制御回路６５によってオペレータパネル９に反映される。
【０１０１】
（バックアップ動作の再開／待機状態の設定）
バックアップサーバ１０は、カートリッジ４の移動が完了したことを認識し、次にテープドライブ７のカートリッジ４へのデータ書き込みコマンドとバックアップデータを磁気テープ装置１に送信する。
【０１０２】
ホストＩ／Ｆ通信制御部７１は、上述と同様に、受信したテープドライブ７のカートリッジ４へのデータ書き込みコマンドとバックアップデータを、ドライブコマンド処理制御部７２に送信する。ドライブコマンド処理制御部７２は、受け取ったデータをカートリッジ４に書き込み、その結果をホストＩ／Ｆ通信制御部７１からバックアップサーバ１０に送信する。
【０１０３】
バックアップサーバ１０のバックアップソフトは、カートリッジ４へのデータ書き込みの完了を認識し、テープドライブ７からカートリッジ４をスロット３へ戻すコマンドを磁気テープ装置１に送信する。ホストＩ／Ｆ通信制御部７１は、コマンドを受信し、上述と同様に、コマンドをライブラリＩ／Ｆドライブ側制御部７３、ライブラリＩ／Ｆ装置本体側制御部６１、コマンド処理制御部６２、ハンド動作制御部６４に送信する。
ハンド動作制御部６４は、ハンド５を操作してテープドライブ７のカートリッジ４をスロット３に戻させる。
【０１０４】
この際、コマンド監視制御部６６は、コマンド処理制御部６２に送信されたコマンドを分析し、前記コマンドがテープドライブ７のカートリッジ４をスロット３へ戻すコマンドで、尚且つ、待機状態設定部６８が「通常状態」に設定しているため、「待機待ち開始」信号を待機状態制御部６７に送信する。
【０１０５】
待機状態制御部６７は、待機状態設定部６８による「通常状態」の設定から「待機待ち状態」に設定変更して、待機待ちタイマ部６９を再起動して再び待機状態となる動作が繰返される。
【０１０６】
ここで、上述した実施形態における上記各構成の動作説明にあって、上述した各構成部材の機能および動作内容を工程として開示したが、これら各工程に示した実行内容をプログラム化し、コンピュータに実行させる構成としてもよい。後述する図３（他の実施形態）の場合も同様である。
【０１０７】
（実施形態の効果）
以上説明したように、本実施形態においては、下のような効果を奏する。
磁気テープ装置１に、ホストＩ／Ｆからテープドライブ７を経由して受信したコマンドを監視してハンド５を動作させるコマンドの有無を検出するコマンド監視制御部６６と、ハンド５を動作させるコマンドを検出しなかった場合はその未検出時間を合計し、その合計値と予め規定した時間を比較する待機待ちタイマ部６９を装備したので、磁気テープ装置１がバックアップジョブの待機状態を検出することが可能となる。
【０１０８】
又、磁気テープ装置１に、磁気テープ装置１が待機状態であるか通常状態であるかを設定しておく待機状態設定部６８と、磁気テープ装置１を待機状態にする直前のスロット３とカートリッジとハンド５の状態情報を記憶しておくライブラリ待機状態情報記憶部６Ｂと、磁気テープ装置１とバックアップサーバ１０とのホストＩ／Ｆ通信処理に不要なハンド５や冷却ファン等への給電を停止する電源制御部６７Ｂを装備したので、待機状態時の磁気テープ装置１の消費電力を大幅に削減することが可能となり、磁気テープ装置１の待機状態を解除する場合には起動時間を大幅に短縮することが可能となる。
【０１０９】
更に、磁気テープ装置１に、待機状態前に保存した状態情報を参照してホストＩ／Ｆからのコマンドに応答するコマンド代理応答処理部６７Ａを装備する。このため、バックアップサーバ１０とのホストＩ／Ｆ通信を、最小限の電力で維持しつつ、磁気テープ装置１の待機状態時に当該磁気テープ装置１の主要回路の動作を全面的に停止することが可能となる。
【０１１０】
即ち、上記実施形態によると、待機待ちタイマ部６９によって待機状態開始のタイミングを確実に捉えることができ、外部指令（バックアップサーバ１０からの指令）による通信開始等の指令が受信される迄の間、待機状態制御部６７によって、前記磁気テープ装置１が備えている通常動作回路６０の全体を確実に給電停止制御することができ、この間の外部から送信されてくる状態確認のコマンドに対してはコマンド代理応答処理部６７Ａがこれに対応して装置の正常動作を外部に応答することができ、これによって待機状態時の磁気テープ装置１の消費電力を大幅に削減することができる。
【０１１１】
更に、この停止制御された磁気テープ装置１の停止状態の解除に際しては、予め設定された停止直前の動作状態から各構成要素全体を起動することができ、従って、再起動時の立ち上がりを、短時間に成し得るという優れた効果を備えたものとなっている。
【０１１２】
〔他の実施形態〕
次に、本発明の他の実施形態を図３に基づいて説明する。
この図３において、磁気テープ装置は、図２に示す主コントローラ６に設けていたコマンド監視制御部６６、待機状態制御部６７、待機状態設定部６８、待機待ちタイマ部６９、コマンド代理応答処理部６７Ａ、待機状態情報記憶部６Ｂ、電源制御部６７Ｂを、テープドライブ７の中に設けている。
【０１１３】
更に、図３では、主コントローラ６に、ライブラリ状態情報コピー制御回路６Ｄを新たに設けている。ライブラリ状態情報コピー制御回路６Ｄは、待機状態制御部６７からのライブラリＩ／Ｆコマンドによりライブラリ状態情報記憶部６３の状態情報を読み出して報告する、或いは状態情報を書き換えるための回路である。
【０１１４】
即ち、この他の実施形態では、前述したテープ装置本体１Ａが、当該テープ装置本体１Ａに予め装備された前記通常動作処理回路６０の記憶部が記憶している前記待機状態開始時の動作状態にかかる状態情報を前記動作状態記憶部６Ｂに複写して当該動作状態記憶部６Ｂの状態情報を書き換えする状態情報コピー制御回路６Ｄを備えている。
【０１１５】
そして、前記待機状態の設定開始に際しては、前記テープ装置本体１Ａが事前に前記状態情報コピー制御回路６Ｄを稼働させると共に、当該状態情報コピー制御回路６Ｄを含む前記通常動作処理回路６０全体を、前記待機状態制御部６７が前記通電停止制御機能６７Ｂａの実行対象とするように構成した点に特徴を有する。
その他の構成は前述した図１乃至図２の実施形態と同一となっている。
【０１１６】
（他の実施形態の動作説明）
次に、磁気テープ装置１及びバックアップサーバ１０の動作を説明する。
バックアップサーバ１０からホストＩ／Ｆを経由して磁気テープ装置１に送信されたコマンドをホストＩ／Ｆ通信制御部７１が受信した場合、前記コマンドがライブラリＩ／Ｆドライブ側制御部７３からライブラリＩ／Ｆ装置本体側制御部６１に送信される時に、コマンド監視制御部６６がコマンドを監視する。
【０１１７】
上述した図１乃至２の実施形態の場合と同様に、コマンド監視制御部６６は、テープドライブ７のカートリッジ４をスロット３へ戻すコマンドを検出し、待機待ちタイマ部６９が待機状態開始時間到達を検出した場合、待機状態開始時間の到来を待機状態制御部６７に通知する。
【０１１８】
又、待機状態制御部６７は、ライブラリ状態情報記憶部６３から磁気テープ装置１の状態情報を読み出し、コマンドをライブラリＩ／Ｆ装置本体側制御部６１に送信する。前記コマンドは、ライブラリＩ／Ｆ装置本体側制御部６１からコマンド処理制御部６２に送信される。
【０１１９】
前記コマンドを受信したコマンド処理制御部６２は、ライブラリ状態情報コピー制御回路６Ｄに状態情報の転送を指示する。ライブラリ状態情報コピー制御回路６Ｄは、ライブラリ状態情報記憶部６３から状態情報を読み取り、状態情報をコマンド処理制御部６２に送信する。そして、状態情報は、コマンド処理制御部６２からライブラリＩ／Ｆ装置本体側制御部６１に送信される。
【０１２０】
待機状態制御部６７が、受信した磁気テープ装置１の状態情報をライブラリ待機状態情報記憶部６Ｂに格納した後は、上述の実施形態と同様に、電源制御部６７Ｂにより磁気テープ装置１のテープドライブ７以外の回路を全て停電させる。これにより、磁気テープ装置１は、コマンド代理応答処理部６７ＡにホストＩ／Ｆからのコマンドに応答させる待機状態に遷移する。
【０１２１】
また、待機状態中にカートリッジ４を搬送するコマンドを検出した場合、待機状態制御部６７は、上述の実施形態と同様に、回路の停電を解除する。更に、待機状態情報記憶部６Ｂに保存されている磁気テープ装置１の状態情報をライブラリ状態情報記憶部６３へ書き換えるコマンドを、ライブラリＩ／Ｆ装置本体側制御部６１に送信する。前記コマンド（搬送指令）は、ライブラリＩ／Ｆ装置本体側制御部６１からコマンド処理制御部６２に送信される。
【０１２２】
前記コマンドを受信したコマンド処理制御部６２は、ライブラリ状態情報コピー制御回路６Ｄに状態情報の書き換えを指示する。ライブラリ状態情報コピー制御回路６Ｄは、ライブラリ状態情報記憶部６３の内容をコマンド処理制御部６２から受信した状態情報に書き換える。この後の処理は、上述の実施形態と同様である。
【０１２３】
以上説明したように、上記他の実施形態によれば、前述した図２の実施形態の場合と同一の作用効果を有する他、更に下記の効果を奏する。
テープライブラリ１の待機状態時にテープドライブ７だけに給電することで、ホストＩ／Ｆのコマンドに応答することができるようになる。このため、テープライブラリ１のより多くの回路を停電させることにより、磁気テープ装置１の消費電力をより少なくすることが可能となる。
【産業上の利用可能性】
【０１２４】
本発明にかかる上記各実施形態では、磁気テープ装置１を図１に示す構成とした場合の例を説明したが、スロットやカートリッジ等の設置数等は特定のものに限定されず、図１に示す構成以外の磁気テープ装置にも適用することが可能である。
【０１２５】
以上、本発明にかかる磁気テープ装置については、その構成内容および動作並びに制御プログラムについて、実施形態および他の実施形態をもって説明したが、これらの内容をまとめると、以下のようになる。
尚、この下記内容は、上記実施形態および他の実施形態の要点をまとめたものであり、本発明の権利範囲をこれに限定するものではない。
【０１２６】
〔付記１〕（基本）
磁気テープを内蔵したカートリッジ４を格納するスロット３と、上位装置１０からの指令により前記磁気テープへの記録／再生を行うテープドライブ７と、前記カートリッジ４を前記スロット３と前記テープドライブ７の間で搬送するカートリッジ搬送機構５と、これら各構成部材の動作を外部指令に基づいて制御する主コントローラ６とを備えたテープ装置本体１Ａを有する磁気テープ装置であって、
前記テープ装置本体１Ａが、
前記上位装置からの記録／再生にかかる動作指令を受信することなく一定時間経過して予め設定された待機状態開始時間に至った場合に待機状態開始指令を発信する待機待ちタイマ部６９と、前記待機待ちタイマ部６９から発信される待機状態開始指令に基づいて機能し前記磁気テープ装置が通常使用している通常動作回路６０に対する給電を全て停止制御する通電停止制御機能６７Ｂａを備えた待機状態制御部６７とを有し、
この待機状態制御部６７が、
前記通電停止制御機能６７Ｂａによる前記停止制御の実行後に前記上位装置１０から送信されて来る状態確認用のコマンドに対して前記通常動作回路６０に代わって代理応答するコマンド代理応答処理部６７Ａを備えていることを特徴とした磁気テープ装置。
【０１２７】
〔付記２〕（上位装置からのコマンド監視）
付記１に記載の磁気テープ装置において、
前記テープ装置本体１Ａが、前記上位装置から送信されて来る動作指令としてのコマンドを監視すると共に前記カートリッジ搬送機構に対するカートリッジ搬送指令のコマンド有無を検出するコマンド監視制御部６６を備えると共に、
このコマンド監視制御部６６が、前記上位装置から記録／再生にかかる指令が送信されて来た場合にこれを前記待機待ちタイマ部６９へ伝送する機能を備えていることを特徴とした磁気テープ装置。
【０１２８】
〔付記３〕
付記２に記載の磁気テープ装置において、
前記待機待ちタイマ部６９は、コマンド監視制御部６６を介して送られて来る上位装置からの記録／再生にかかる動作指令（搬送コマンド）の未検出時間を計測する未検出時間計測機能と、この未検出時間の時間間隔が待機状態開始時間として予め設定された時間間隔を経過した場合に前記待機状態開始指令の発信を実行する待機状態設定指令発信機能とを備えていることを特徴とした磁気テープ装置。
【０１２９】
〔付記４〕（通電停止制御機能６７Ｂａの実行）
付記１に記載の磁気テープ装置において、
前記テープ装置本体１Ａは、当該磁気テープ装置全体が待機状態か又は通電状態かを（前記主コントローラの制御動作を）設定しその状態情報を保持する待機状態設定部６８を備えると共に、
前記待機状態制御部６７は、この待機状態設定部６８からの待機状態を示す状態情報に基づいて前記通電停止制御機能６７Ｂａの実行を継続する構成としたことを特徴とする磁気テープ装置。
【０１３０】
〔付記５〕（待機状態開始時の動作状態を記憶）
付記１に記載の磁気テープ装置において、
前記主コントローラ６が、前記テープ装置本体１Ａが備えている各構成部材の動作状態を監視する動作状態監視部６Ａと、この動作状態監視部６Ａで監視し把握した前記各構成部材の前記待機状態開始時の動作状態にかかる情報を記憶する動作状態記憶部６Ｂとを含む構成としたことを特徴とする磁気テープ装置。
【０１３１】
〔付記６〕（通電停止解除制御）
付記１乃至５の何れか一つに記載の磁気テープ装置において、
前記待機状態制御部６７が、前記上位装置１０から搬送指示コマンドが入力された場合に機能し前記通常動作回路６０の全体を通電状態に設定制御する通電状態設定制御機能６７Ｂｂを備えていることを特徴とした磁気テープ装置。
【０１３２】
〔付記７〕（通電再開／動作状態の設定）
付記６に記載の磁気テープ装置において、
前記待機状態制御部６７による通電状態設定制御機能６７Ｂｂの実行に際しては、前記主コントローラ６は、前記テープ装置本体１Ａの各構成部材を前記動作状態記憶部６Ｂに記憶された動作状態に設定制御する再起動状態設定機能を備えていることを特徴とした磁気テープ装置。
【０１３３】
〔付記８〕（状態情報の書き換え／他の実施形態）
付記１乃至６の何れか一つに記載の磁気テープ装置において、
前記テープ装置本体１Ａが、当該テープ装置本体１Ａに予め装備された前記通常動作処理回路６０の記憶部が記憶している前記待機状態開始時の動作状態にかかる状態情報を前記動作状態記憶部６Ｂに複写して当該動作状態記憶部６Ｂの状態情報を書き換えする状態情報コピー制御回路６Ｄを備えており、
前記待機状態の設定開始に際しては、前記テープ装置本体１Ａが事前に前記状態情報コピー制御回路６Ｄを稼働させると共に、当該状態情報コピー制御回路６Ｄを含む前記通常動作処理回路６０全体を、前記待機状態制御部６７が前記通電停止制御機能６７Ｂａの実行対象とすることを特徴とした磁気テープ装置。
【０１３４】
〔付記９〕（方法の発明／付記１対応）
磁気テープを内蔵したカートリッジ４を格納するスロット３と、上位装置からの指令により前記磁気テープへの記録／再生を行うテープドライブ７と、前記カートリッジ４を前記スロット３と前記テープドライブ７の間で搬送するカートリッジ搬送機構５と、これら各構成部材の動作を外部指令に基づいて制御する主コントローラ６とを備えたテープ装置本体１Ａを有する磁気テープ装置にあって、
前記上位装置からの記録／再生にかかる動作指令を受信することなく一定時間経過して予め設定された待機状態開始時間に至った場合に、前記テープ装置本体１Ａの待機待ちタイマ部６９が待機状態開始指令を発信し、
前記待機待ちタイマ部６９からの発信情報に基づいて作動し前記磁気テープ装置に備えられ通常使用されている通常動作回路６０に対し、前記テープ装置本体１Ａの待機状態制御部６７が備えている通電停止制御機能６７Ｂａが前記通常動作回路６０の全体を対象とてその給電動作を全て停止制御し、
この給電動作の停止制御後に前記上位装置１０から状態確認用のコマンドが送信されて来た場合に、動作停止中の前記通常動作回路６０に代わって前記待機状態制御部６７が備えているコマンド代理応答処理部６７Ａが代理応答するようにしたことを特徴とする磁気テープ装置用給電制御方法。
【０１３５】
〔付記１０〕（付記２対応）
付記９に記載の磁気テープ装置用給電制御方法において、
前記待機待ちタイマ部６９が待機状態開始指令を発信に先立って、前記前記上位装置から送信されて来る動作指令としてのコマンドを常時監視し、
続いて、前記上位装置から記録／再生にかかる動作指令が送信されて来た場合にこれを検出して前記待機待ちタイマ部６９へ伝送するようにし、
これらの各監視および検出動作を前記テープ装置本体１Ａのコマンド監視制御部６６が実行するようにしたことを特徴とする磁気テープ装置用給電制御方法。
【０１３６】
〔付記１１〕（付記３対応）
付記１０に記載の磁気テープ装置用給電制御方法において、
前記コマンド監視制御部６６を介して送られて来る上位装置からの記録／再生にかかる動作指令（搬送コマンド）の未検出時間を計測し、
この未検出時間の時間間隔が待機状態開始時間として予め設定された時間間隔を経過した場合に、前記待機状態開始指令の発信動作を実行し、
これらの各計測および発信にかかる動作を前記待機待ちタイマ部６９が実行するようにしたことを特徴とする磁気テープ装置用給電制御方法。
【０１３７】
〔付記１２〕（付記４対応）
付記９に記載の磁気テープ装置用給電制御方法において、
前記磁気テープ装置全体が待機状態か又は通電状態かを前記主コントローラの制御動作を介して、前記テープ装置本体１Ａの待機状態設定部６８が設定し且つ当該設定した状態情報を保持し、
この待機状態設定部６８からの待機状態を示す状態情報に基づいて、前記待機状態制御部６７は通電停止制御機能６７Ｂａの実行を継続するようにしたことを特徴とする磁気テープ装置用給電制御方法。
【０１３８】
〔付記１３〕（付記５対応）
付記９に記載の磁気テープ装置用給電制御方法において、
前記テープ装置本体１Ａが備えている各構成部材の動作状態を、前記主コントローラ６の動作状態監視部６Ａが監視し、
この動作状態監視部６Ａで監視し把握した前記各構成部材の前記待機状態開始時の動作状態にかかる情報を、前記主コントローラ６の動作状態記憶部６Ｂが記憶するようにしたことを特徴とする磁気テープ装置用給電制御方法。
【０１３９】
〔付記１４〕（付記６対応）
付記９乃至１３の何れか一つに記載の磁気テープ装置用給電制御方法において、
前記上位装置１０から搬送指示コマンドが入力された場合に、前記待機状態制御部６７の通電状態設定制御機能６７Ｂｂが機能して前記通常動作回路６０の全体を通電状態に設定制御するようにしたことを特徴とした磁気テープ装置用給電制御方法。
【０１４０】
〔付記１５〕（付記７対応）
付記１４に記載の磁気テープ装置用給電制御方法において、
前記待機状態制御部６７による通電状態設定制御機能６７Ｂｂの実行に際し、前記テープ装置本体１Ａの各構成部材の動作開始状態を、前記主コントローラ６が前記動作状態記憶部６Ｂに記憶された動作状態に基づいて設定制御するようにしたことを特徴とする磁気テープ装置用給電制御方法。
【０１４１】
〔付記１６〕（プログラム発明／付記９，１０対応）
磁気テープを内蔵したカートリッジ４を格納するスロット３と、上位装置からの指令により前記磁気テープへの記録／再生を行うテープドライブ７と、前記カートリッジ４を前記スロット３と前記テープドライブ７の間で搬送するカートリッジ搬送機構５と、これら各構成部材の動作を外部指令に基づいて制御する主コントローラ６とを備えたテープ装置本体１Ａを有する磁気テープ装置にあって、
前記上位装置から送信されて来る動作指令としてのコマンドを常時監視すると共に当該上位装置から記録／再生にかかる動作指令が送信されて来た場合にこれを検出して予め装備された待機待ちタイマ部６９へ伝送するコマンドを監視捕捉処理機能、
前記上位装置からの記録／再生にかかる動作指令を受信することなく一定時間経過後に発信される前記待機待ちタイマ部６９からの待機状態開始指令に基づいて作動し、前記磁気テープ装置に備えられ通常使用されている通常動作回路６０の全体を対象としてその給電動作を全て停止制御する給電停止制御処理機能、
この給電動作の停止制御後に前記上位装置１０から状態確認用のコマンドが送信されて来た場合に、動作停止中の前記通常動作回路６０に代わって代理応答するコマンド代理応答処理機能とを設け、
これらの各処理機能を前記テープ装置本体１Ａが備えているコンピュータに実現させるようにしたことを特徴とする磁気テープ装置用給電制御プログラム。
【０１４２】
〔付記１７〕（付記１３対応）
付記１６に記載の磁気テープ装置用給電制御プログラムにおいて、
前記テープ装置本体１Ａが備えている各構成部材の動作状態を常時監視すると共にこの監視し把握した前記各構成部材の前記待機状態開始時における動作状態にかかる情報を、予め装備された動作状態記憶部６Ｂに記憶処理する動作状態記憶処理機能を設け、
これを前記テープ装置本体１Ａが備えているコンピュータに実現させるようにしたことを特徴とする磁気テープ装置用給電制御プログラム。
【０１４３】
〔付記１８〕（付記１４対応）
付記１６又は１７に記載の磁気テープ装置用給電制御プログラムにおいて、
前記上位装置１０から搬送指示コマンドが入力された場合に、前記通常動作回路６０の全体を通電状態に設定制御する通電状態設定制御処理機能を設け、
これを前記テープ装置本体１Ａが備えているコンピュータに実現させるようにしたことを特徴とする磁気テープ装置用給電制御プログラム。
【０１４４】
〔付記１９〕（付記１５対応）
付記１８に記載の磁気テープ装置用給電制御プログラムにおいて、
前記通電状態設定制御処理機能の実行に際しては、前記テープ装置本体１Ａの各構成部材の動作開始状態を、前記動作状態記憶部６Ｂに記憶された前記待機状態開始時の状態情報と同一の動作状態に設定制御する状態情報設定処理機能を設け、
これを前記テープ装置本体１Ａが備えているコンピュータに実現させるようにしたことを特徴とする磁気テープ装置用給電制御プログラム。
【符号の説明】
【０１４５】
１  磁気テープ装置
１Ａ  テープ装置本体
３  スロット（保管庫）
４  テープカートリッジ（カートリッジ）
５  ハンド（カートリッジ搬送機構／搬送手段）
６  主コントローラ
６Ａ  動作状態監視部
６Ｂ  待機状態情報記憶部
６Ｄ  ライブラリ状態情報コピー制御回路
７  テープドライブ
１０  バックアップサーバ
６６  コマンド監視制御部
６７  待機状態制御部
６７Ａ  コマンド代理応答処理部
６７Ｂ  電源制御部
６７Ｂａ  通電停止制御機能
６７Ｂｂ  通電停止解除制御機能（通電状態設定制御機能）
６８  待機状態監視部
６９  待機待ちタイマ部
【図１】
2013246845.tif 000003
【図２】
2013246845.tif 000004
【図３】
2013246845.tif 000005